【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
第１発光素子と第２発光素子を少なくとも有するインクタンクと、
複数の前記インクタンクが着脱可能に装着されるキャリッジと、
前記第１発光素子からの光を受光するための受光部と、
前記キャリッジに装着されている前記インクタンクの前記第１発光素子からの光を前記受光部で受光し、その受光結果に基づいてインクタンクが正しい位置に装着されているか否かの判定を行う判定手段と、
前記インクタンクの状態に関する情報を、前記第２発光素子からの光によって報知するための処理を行う報知処理手段と、
を備え、
前記受光部のピーク感度波長は７６０ｎｍ以上１１００ｎｍ以下の範囲にあり、
前記第１発光素子のピーク発光波長は７６０ｎｍ以上の範囲にあり、
前記第２発光素子のピーク発光波長は、４００ｎｍ以上７６０ｎｍ以下の範囲にあることを特徴とするインクジェット記録装置。
【請求項２】
複数の発光素子を有する発光部、及び、前記発光部の駆動制御を行う駆動制御部、をそれぞれ備えた複数のインクタンクと、
各々の前記駆動制御部と共通配線を介して電気的に接続される装置側制御部を備えた記録装置本体と、
を備えたインクジェット記録装置であって、
前記インクタンクが、
そのインクタンクが収容するインクの種類を示すインク情報を記憶した記憶部を備え、
前記記録装置本体が、
前記インクタンクが着脱可能に装着される装着部をインクの種類毎に備え、前記装着部の配列方向に往復移動されるキャリッジと、
前記キャリッジの移動により前記装着部の夫々との相対的な位置関係が変化するように配置され、前記発光部からの光を受光する受光部と、
インクタンク内のインク残量を検出するインク残量検出手段と、を備え、
複数のインクタンクそれぞれの前記駆動制御部は、
前記記憶部に記憶された前記インク情報により示されるインクの種類が特定された点灯命令を前記装置側制御部から受信した場合に前記発光部の発光素子を光らせ、
前記装置側制御部は、
前記キャリッジの位置に応じて特定された種類のインクを収納するインクタンクが有する前記駆動制御部への前記点灯命令を前記共通配線に送信し、その際の前記受光部の受光結果に基づいて前記点灯命令で特定した種類のインクを収容した前記インクタンクが正しい前記装着部に装着されているか否かを判定する装着位置判定手段による処理を行い、
前記装着位置判定手段による処理結果とインク残量検出手段による処理結果に基づいて、前記発光部からの光を発光制御して報知するインクタンク状態報知手段により報知処理を行い、
前記受光部のピーク感度波長は７６０ｎｍ以上１１００ｎｍ以下の範囲にあり、
前記複数の発光素子の少なくとも１つはピーク発光波長が７６０ｎｍ以上の範囲にあり、少なくとも１つは４００ｎｍ以上７６０ｎｍ以下の範囲にあることを特徴とするインクジェット記録装置。
【請求項３】
前記複数の発光素子は、ピーク発光波長が７６０ｎｍ以上の範囲にある発光素子を１つ、ピーク発光波長が４００ｎｍ以上７６０ｎｍ以下の範囲にある発光素子を２つ以上有して構成される請求項２に記載のインクジェット記録装置。
【請求項４】
前記複数の発光素子は、前記駆動制御部により個別に独立して制御でき、前記装着位置判定手段による処理を行う時は、ピーク発光波長が７６０ｎｍ以上の範囲にある発光素子を発光制御し、前記インクタンク状態報知手段による報知処理を行う時は、ピーク発光波長が４００ｎｍ以上７６０ｎｍ以下の範囲にある発光素子を発光制御させることを特徴とする請求項２または３に記載のインクジェット記録装置。
【請求項５】
前記複数の発光素子は、前記駆動制御部により全て同時に制御され、前記装着位置判定手段による処理を行う時、及び前記インクタンク状態報知手段による報知処理を行う時は、全ての発光素子を同時に発光制御することを特徴とする請求項２または３に記載のインクジェット記録装置。
【請求項６】
前記受光部のピーク感度波長は７８０ｎｍ以上９５０ｎｍ以下の範囲にあることを特徴とする請求項２ないし５に記載のインクジェット記録装置。
【請求項７】
前記装着位置判定手段による処理を行う時に発光制御する発光素子のピーク発光波長は７６０ｎｍ以上１１００ｎｍ以下の範囲にあることを特徴とする請求項２ないし６のいずれかに記載のインクジェット記録装置。
【請求項８】
前記装着位置判定手段による処理を行う時に発光制御する発光素子のピーク発光波長は７８０ｎｍ以上９５０ｎｍ以下の範囲にあることを特徴とする請求項２ないし７のいずれかに記載のインクジェット記録装置。
【請求項９】
前記インクタンク状態報知手段による報知処理を行う時に発光制御する発光素子のピーク発光波長は４７０ｎｍより大きく、６６０ｎｍより小さい範囲にあることを特徴とする請求項２ないし８のいずれかに記載のインクジェット記録装置。
【請求項１０】
複数のインクタンクが着脱可能に装着されるキャリッジを備えたインクジェット記録装置本体の、前記キャリッジに装着されるインクタンクであって、
第１発光素子と第２発光素子を少なくとも有し、
前記インクジェット記録装置本体は、
複数の前記インクタンクが着脱可能に装着されるキャリッジと、
前記第１発光素子からの光を受光するための受光部と、
前記キャリッジに装着されている前記インクタンクの前記第１発光素子からの光を前記受光部で受光し、その受光結果に基づいてインクタンクが正しい位置に装着されているか否かの判定を行う判定手段と、
前記インクタンクの状態に関する情報を、前記第２発光素子からの光によって報知するための処理を行う報知処理手段と、
を備え、
前記受光部のピーク感度波長は７６０ｎｍ以上１１００ｎｍ以下の範囲にあり、
前記第１発光素子のピーク発光波長は７６０ｎｍ以上の範囲にあり、
前記第２発光素子のピーク発光波長は、４００ｎｍ以上７６０ｎｍ以下の範囲にあることを特徴とするインクタンク。
【請求項１１】
インクタンクが着脱可能に装着される装着部をインクの種類毎に備え、前記装着部の配列方向に往復移動されるキャリッジを備えたインクジェット記録装置本体の、前記キャリッジに装着されるインクタンクであって、
複数の発光素子を有する発光部と、
前記発光部の駆動制御を行う駆動制御部と、
そのインクタンクが収容するインクの種類を示すインク情報を記憶した記憶部とを備え、
前記インクジェット記録装置本体は、
複数のインクタンクそれぞれの前記駆動制御部と共通配線を介して電気的に接続される装置側制御部と、
前記キャリッジの移動により前記装着部の夫々との相対的な位置関係が変化するように配置され、前記発光部からの光を受光する受光部とを備え、
前記駆動制御部は、
前記記憶部に記憶された前記インク情報により示されるインクの種類が特定された点灯命令を前記装置側制御部から受信した場合に前記発光部を光らせ、
前記装置側制御部は、
前記キャリッジの位置に応じて特定された種類のインクを収納するインクタンクが有する前記駆動制御部への前記点灯命令を前記共通配線に送信し、その際の前記受光部の受光結果により前記点灯命令で特定した種類のインクを収容した前記インクタンクが正しい前記装着部に装着されているか否かを判定する装着位置判定処理と、
前記装着位置判定処理の結果とインクタンク内のインク残量を検出するインク残量検出の結果に基づいて、前記発光部からの光を発光制御して報知するインクタンク状態報知処理とを行い、
前記受光部のピーク感度波長は７６０ｎｍ以上１１００ｎｍ以下の範囲にあり、
前記複数の発光素子の少なくとも１つはピーク発光波長が７６０ｎｍ以上の範囲にあり、少なくとも１つは４００ｎｍ以上７６０ｎｍ以下の範囲にあることを特徴とするインクタンク。
【請求項１２】
前記複数の発光素子は、ピーク発光波長が７６０ｎｍ以上の範囲にある発光素子を１つ、ピーク発光波長が４００ｎｍ以上７６０ｎｍ以下の範囲にある発光素子を２つ以上有して構成される請求項１１に記載のインクタンク。
【請求項１３】
前記複数の発光素子は、前記駆動制御部により個別に独立して制御でき、前記装着位置判定処理を行う時は、ピーク発光波長が７６０ｎｍ以上の発光素子を発光制御し、前記インクタンク状態報知処理を行う時は、ピーク発光波長が４００ｎｍ以上７６０ｎｍ以下の範囲にある発光素子を発光制御させることを特徴とする請求項１１または１２に記載のインクタンク。
【請求項１４】
前記複数の発光素子は、前記駆動制御部により全て同時に制御され、前記装着位置判定処理を行う時、及び前記インクタンク状態報知処理を行う時は、全ての発光素子を同時に発光制御することを特徴とする請求項１１ないし１３に記載のインクジェット記録装置。
【請求項１５】
前記装着位置判定処理を行う時に発光制御する発光素子のピーク発光波長は７６０ｎｍ以上１１００ｎｍ以下の範囲にあることを特徴とする請求項１１ないし１４に記載のインクタンク。
【請求項１６】
前記装着位置判定処理を行う時に発光制御する発光素子のピーク発光波長は７８０ｎｍ以上９５０ｎｍ以下の範囲にあることを特徴とする請求項１１ないし１４のいずれかに記載のインクタンク。
【請求項１７】
前記インクタンク状態報知処理を行う時に発光制御する発光素子のピーク発光波長は４７０ｎｍより大きく、６６０ｎｍより小さい範囲にあることを特徴とする請求項１１ないし１６のいずれかに記載のインクタンク。